(57)【要約】【課題】低床浴室ユニットの洗い場床に取り付けられる排水トラップであって、偏平化による排水不良が防止された排水トラップを提供する。【解決手段】上端が開放され下端が閉鎖された筒状の溜水部と、溜水部を取り巻き上端が溜水部の上端よりも上方にあり下端から径方向内方へのびる底壁が溜水部の側壁に達する排水外筒と、上部に外フランジが形成されると共に上方から溜水部内へ挿入された封水筒と、封水筒の外フランジを支持すると共に排水外筒に係止される環状の取付フランジとを備え、排水外筒の側壁に排水口が形成され、溜水部上端と当該上端直上の封水筒外フランジ又は取付フランジとの間の環状隙間の一部が残余部に比べて拡大されている。【選択図】  図１
2004183412.tif 000002
【特許請求の範囲】
【請求項１】
上端が開放され下端が閉鎖された筒状の溜水部と、溜水部を取り巻き上端が溜水部の上端よりも上方にあり下端から径方向内方へのびる底壁が溜水部の側壁に達する排水外筒と、上部に外フランジが形成されると共に上方から溜水部内へ挿入された封水筒と、封水筒の外フランジを支持すると共に排水外筒に係止される環状の取付フランジとを備え、排水外筒の側壁に排水口が形成され、溜水部上端と当該上端直上の封水筒外フランジ又は取付フランジとの間の環状隙間の一部が残余部に比べて拡大されていることを特徴とする浴室ユニットの排水トラップ。
【請求項２】
溜水部上端直上の排水外筒外フランジ又は取付フランジに上方への膨出部が形成されていることを特徴とする請求項１に記載の浴室ユニットの排水トラップ。
【請求項３】
上方への膨出部が複数形成されていることを特徴とする請求項２に記載の浴室ユニットの排水トラップ。
【請求項４】
溜水部上端直上の排水外筒外フランジが、溜水部上端が形成する平面に対して傾斜していることを特徴とする請求項１に記載の浴室ユニットの排水トラップ。
【請求項５】
取付フランジが、溜水部上端が形成する平面に対して傾斜していることを特徴とする請求項１に記載の浴室ユニットの排水トラップ。
【請求項６】
溜水部の側壁に浴槽排水流入口が形成されていることを特徴とする請求項１乃至５の何れか１項に記載の浴室ユニットの排水トラップ。
【請求項７】
排水外筒の底壁に浴槽排水流入口が形成されていることを特徴とする請求項１乃至５の何れか１項に記載の浴室ユニットの排水トラップ。
【発明の詳細な説明】
【０００１】
【発明の属する技術分野】
本発明は、低床浴室ユニットの洗い場床に取り付けられる排水トラップに関するものである。
【０００２】
【従来の技術】
隣接する脱衣室の区画から浴室ユニットへ入る際の跨ぎ高さを低減させてバリアフリーを実現すべく、建築躯体床からの設置高さを低減させた低床浴室ユニットが開発されている。本願出願人は、特願２００２−０９０３７６において、低床浴室ユニットの洗い場床に取り付けられる排水トラップであって、逆流防止手段を備える排水トラップを提案した。
【０００３】
【発明が解決しようとする課題】
低床浴室ユニットの洗い場床に取り付けられる排水トラップにおいては、浴槽排水の洗い場への逆流や洗い場排水の浴槽への逆流の問題と共に、排水トラップの偏平化により惹起される大量排水時の排水トラップからの排水不良の問題が在る。この問題を解決した排水トラップは従来提案されていなかった。
本発明は上記問題に鑑みてなされたものであり、低床浴室ユニットの洗い場床に取り付けられる排水トラップであって、偏平化による排水不良が防止された排水トラップを提供することを目的とする。
【０００４】
【課題を解決するための手段】
上記課題を解決するために、本発明においては、上端が開放され下端が閉鎖された筒状の溜水部と、溜水部を取り巻き上端が溜水部の上端よりも上方にあり下端から径方向内方へのびる底壁が溜水部の側壁に達する排水外筒と、上部に外フランジが形成されると共に上方から溜水部内へ挿入された封水筒と、封水筒の外フランジを支持すると共に排水外筒に係止される環状の取付フランジとを備え、排水外筒の側壁に排水口が形成され、溜水部上端と当該上端直上の封水筒外フランジ又は取付フランジとの間の環状隙間の一部が残余部に比べて拡大されていることを特徴とする浴室ユニットの排水トラップを提供する。
溜水部上端と当該上端直上の封水筒外フランジ又は取付フランジとの間の環状隙間の一部が残余部に比べて拡大されているので、浴室ユニットの低床化に伴って排水トラップが偏平化しても、少なくとも前記一部には十分な幅の隙間が残される。従って、多量の排水が排水トラップへ流入し溜水部から多量の排水が上方へ溢れ出ても、前記環状隙間の十分な幅を有する一部を通って、支障なく排水口から排出される。従って、本発明に係る排水トラップは、浴室ユニットの低床化に伴って偏平化しても、排水不良を起こさない。前記環状隙間の拡大されていない残余部を、浴室ユニットの洗い場床の最下部に対峙させておけば、浴室ユニットの洗い場床上の排水は、封水筒外フランジの、前記環状隙間の拡大されていない残余部を形成する部位の上方を通って支障なく封水筒へ流入し、或いは取付フランジの、前記環状隙間の拡大されていない残余部を形成する部位の上方を通って支障なく封水筒へ流入する。
【０００５】
本発明の好ましい態様においては、溜水部上端直上の排水外筒外フランジ又は取付フランジに上方への膨出部が形成されている。
溜水部上端直上の排水外筒外フランジ又は取付フランジに上方への膨出部を形成することにより、溜水部上端と当該上端直上の封水筒外フランジ又は取付フランジとの間の環状隙間の一部を残余部に比べて拡大することができる。
本発明の好ましい態様においては、上記上方への膨出部が複数形成されている。上方への膨出部を複数形成し、ひいては前記環状隙間の拡大されていない残余部を複数形成すれば、浴室ユニットの洗い場床上の排水の封水筒への流入が促進される。
【０００６】
本発明の好ましい態様においては、溜水部上端直上の排水外筒外フランジが、溜水部上端が形成する平面に対して傾斜している。
本発明の好ましい態様においては、取付フランジが、溜水部上端が形成する平面に対して傾斜している。
溜水部上端直上の排水外筒外フランジを、溜水部上端が形成する平面に対して傾斜させ、或いは取付フランジを、溜水部上端が形成する平面に対して傾斜させることにより、溜水部上端と当該上端直上の封水筒外フランジ或いは取付フランジとの間の環状隙間の一部を残余部に比べて拡大することができる。
【０００７】
本発明の好ましい態様においては、溜水部の側壁に浴槽排水流入口が形成されている。
本発明の好ましい態様においては、排水外筒の底壁に浴槽排水流入口が形成されている。
浴槽排水流入口が形成された排水トラップにおいては、浴室ユニットの低床化に伴って排水トラップが偏平化しても、浴槽排水の排水トラップからの排出不良が防止される。
【０００８】
【発明の実施の形態】
本発明の実施例に係る浴室ユニットの排水トラップを説明する。
図１に示すように、逆碗型の排水トラップ１は、上端が開放され下端が閉鎖された有底筒状の溜水部２と、溜水部２を取り巻き上端が溜水部２の上端よりも上方にあり下端から径方向内方へ延びる底壁が溜水部２の側壁に達する排水外筒３とを備えている。溜水部２の上端面を含む平面は、排水トラップ１内に貯留される排水の最高水面である封水面αを形成している。溜水部２の側壁に浴槽排水流入口２ａが形成され、排水外筒３の側壁に排水口３ａが形成されている。
上端に外フランジ４ａが形成された封水筒４が溜水部２に挿入されている。封水筒４の外フランジ４ａは溜水部２の上端よりも上方にあり、封水筒４の下端は封水面αよりも下方に在り且つ溜水部２の底壁から上方へ隔てられている。
外フランジ状の上端部５ａを有する筒状の取付フランジ５が配設されている。取付フランジ５は、水密パッキンを介して封水筒４の外フランジ４ａと係合し、封水筒４を支持すると共に、排水外筒３の上端部に螺合している。上端部５ａは、排水外筒３の上端部と共働し、水密パッキンを介して、浴室ユニットの傾斜した洗い場床２００の最下部に形成された排水ピット２０１の排水穴周縁を挟持し、排水外筒３と溜水部２とを洗い場床２００に取り付けている。
封水筒４の外フランジ４ａは溜水部２の上端に対峙し、溜水部２の上端との間に環状隙間Ｓを形成している。外フランジ４ａに上方への膨出部４ａ′と非膨出部４ａ″とが形成されている。環状隙間Ｓの前記膨出部４ａ′に対峙する部位Ｓ′は、残余部Ｓ″すなわち前記非膨出部４ａ″に対峙する部位に比べて拡大されている。外フランジの非膨出部４ａ″は、洗い場床２００の最下部に対峙している。
外フランジ４ａの膨出部４ａ′を覆うトラップカバー６が配設されている。
【０００９】
排水トラップ１の作動を説明する。
洗い場床２００上の通常排水は、傾斜した洗い場床２００の最下部から、トラップカバー６に形成された排水口と、封水筒外フランジ４ａの非膨出部４ａ″上方とを通って封水筒４へ流入し、更に溜水部２へ流入する。溜水部２から溢れた洗い場排水は、排水外筒３へ流入し、排水口３ａから排水管３００へ排出される。浴槽排水は、接続管４００を通り、浴槽排水流入口２ａから溜水部２へ流入する。溜水部２から溢れた浴槽排水は、排水外筒３へ流入し、排水口３ａから排水管３００へ排出される。
満水の浴槽から多量の湯が洗い場床２００上へ流れ出た場合、洗い場床２００に多量の洗濯排水等が排出された場合等においては、洗い場床２００上の多量の排水は、封水筒外フランジ４ａの膨出部４ａ′を乗り越えて封水筒４へ流入し、更に溜水部２へ流入する。溜水部２から溢れた洗い場排水は、排水外筒３へ流入し、排水口３ａから排水管３００へ排出される。
【００１０】
排水トラップ１においては、封水筒外フランジ４ａに上方への膨出部４ａ′が形成されることにより、溜水部２上端と当該上端直上の封水筒外フランジ４ａとの間の環状隙間Ｓの一部Ｓ′が残余部Ｓ″に比べて拡大されているので、浴室ユニットの低床化に伴って排水トラップ１が偏平化しても、少なくとも前記一部Ｓ′には十分な幅の隙間が残される。従って、浴槽の排水、満水の浴槽からの湯の溢れ出し、多量の洗濯排水等の洗い場床２００への排出等により、多量の排水が排水トラップ１の溜水部２へ流入し、多量の排水が溜水部２から上方へ溢れ出しても、当該排水は前記環状隙間の十分な幅を有する一部Ｓ′を通って、支障なく排水口３ａから排出される。従って、排水トラップ１は、浴室ユニットの低床化に伴って偏平化しても、排水不良を起こさない。
環状隙間Ｓの拡大されていない残余部Ｓ″、ひいては外フランジ４ａの上方への非膨出部４ａ″が、浴室ユニットの洗い場床２００の最下部に対峙しているので、浴室ユニットの洗い場床２００上の排水は、封水筒外フランジの上方へ非膨出部４ａ″の上方を通って支障なく封水筒２へ流入する。
浴槽排水流入口２ａを備えない排水トラップにおいても、環状隙間Ｓに拡大部Ｓ′と残余部Ｓ″とを形成すれば、浴室ユニットの低床化に伴って排水トラップが偏平化しても、洗い場床上に満水の浴槽から湯水が溢れ出た場合、多量の洗濯排水が洗い場床上に排出された場合等に、排水トラップが排水不良を起こさず、且つ洗い場床上の通常排水を支障なく排水トラップを介して排出できる。
図２に示すように、浴槽排水流入口２ａを排水外筒３の底壁に形成し、浴槽排水の洗い場床２００への逆流を防止した排水トラップにおいても、環状隙間Ｓに拡大部Ｓ′と残余部Ｓ″を形成すれば、浴室ユニットの低床化に伴って排水トラップが偏平化した際の、浴槽排水の排水トラップからの排水不良を防止でき、且つ洗い場床上の通常排水を支障なく排水トラップを介して排出できる。
【００１１】
図３に示すように、環状隙間Ｓの拡大部Ｓ′を複数形成し、ひいては残余部Ｓ″を複数形成し、換言すれば封水筒外フランジ４ａの上方への膨出部４ａ′を複数形成し、ひいては非膨出部４ａ″を複数形成すれば、浴室ユニットの洗い場床２００上の排水の封水筒２への流入が促進される。
図４に示すように、溜水部２上端直上の封水筒外フランジ４ａを、溜水部上端が形成する平面に対して傾斜させることにより、上方への膨出部４ａ′と非膨出部４ａ″とを形成し、ひいては環状隙間Ｓの拡大部Ｓ′と残余部Ｓ″とを形成しても良い。
封水筒外フランジ４ａに上方への膨出部４ａ′を形成するのに代えて、図５に示すように、取付フランジ５の外フランジ状上端部５ａを溜水部２の上端に対峙させて溜水部２の上端との間に環状隙間Ｓを形成し、外フランジ状上端部５ａに上方への膨出部５ａ′と非膨出部５ａ″とを形成して、環状隙間Ｓの拡大部Ｓ′と残余部Ｓ″とを形成しても良い。この場合、複数の拡大部Ｓ′と複数の残余部Ｓ″とを形成しても良い。溜水部２の上端に対峙させた取付フランジ５を、図４と同様にして、溜水部２の上端が形成する平面に対して傾斜させることにより、上方への膨出部５ａ′と非膨出部５ａ″とを形成し、ひいては環状隙間Ｓの拡大部Ｓ′と残余部Ｓ″とを形成しても良い。
図６に示すように、封水筒４の外フランジ４ａを溜水部２の上端に対峙させ、外フランジ４ａを支持する取付フランジ５を、溜水部２の上端が形成する平面に対して傾斜させることにより、封水筒４の外フランジ４ａを溜水部２の上端が形成する平面に対して傾斜させ、外フランジ４ａと溜水部２の上端との間に形成される環状隙間Ｓに拡大部Ｓ′と残余部Ｓ″とを形成しても良い。
【００１２】
排水トラップ１においては、浴室ユニットの低床化に伴って排水ピット２０１が浅くなると、封水筒外フランジ４ａの上方への膨出部４ａ′、取付フランジ上端部５ａの上方への膨出部５ａ′、傾斜した取付フランジ５の上部等が、洗い場床２００の最下部よりも上方へ突出することになり、トラップカバー６が洗い場床２００の最下部よりも上方へ突出することになる。従って、美観上、洗い場床２００の構成を工夫する必要がある。
美観上許容できる洗い場床２００の構成を以下に例示する。
図７に示すように、浴槽５００に隣接する洗い場床２００の一隅が最下部となるように洗い場床２００を傾斜させ、当該一隅に排水トラップ１を配設する。前記一隅を含む洗い場床２００の一辺を所定幅に亘って盛り上げて、洗面器や洗剤容器等を置くためのローカウンター２００ａを形成する。ローカウンター２００ａの一部を着脱可能なトラップカバー６により構成する。排水トラップ１から延びる排水管３００は、ローカウンター２００ａの下方で延在させる。
図８に示すように、浴槽５００に隣接する洗い場床２００の一辺中央部が最下部となるように洗い場床２００を傾斜させ、当該一辺の中央部に排水トラップ１を配設する。前記一辺を所定幅に亘って盛り上げて、浴槽跨ぎ高さ低減用のステップ２００ｂを形成する。ステップ２００ｂの一部を着脱可能なトラップカバー６により構成する。排水トラップ１から延びる排水管３００は、ステップ２００ｂの下方で延在させ、或いはステップ２００ｂの下方とステップ２００ｂの両端から延びる洗い場床２００の一辺の下方とに亘って延在させる。浴槽５００に隣接する洗い場床２００の一辺が、洗い場床２００から洗い場床２００よりも低い浴槽載置部床への洗い場排水の流入を防止するために予め所定幅に亘って盛り上げられている場合には、ステップ２００ｂを形成せず、前記盛り上げ部の直下に排水トラップ１を配設し、盛り上げ部の一部を着脱可能なトラップカバー６により構成しても良い。尚前記盛り上げ部は、一般に浴槽のリム部から垂下するエプロンにより浴室利用者の視線から遮蔽されている。
図９に示すように、浴槽５００に隣接する洗い場床２００の一隅から延びる洗い場床２００の一辺の中央部が最下部となるように洗い場床２００を傾斜させ、当該一辺の中央部に排水トラップ１を配設する。洗い場床２００の前記一辺を所定幅に亘って盛り上げて、洗面器や洗剤容器等を置くためのローカウンター２００ｃを形成する。ローカウンター２００ｃの一部を着脱可能なトラップカバー６により構成する。排水トラップ１から延びる排水管３００は、ローカウンター２００ｃの下方で延在させ、或いはるローカウンター２００ｃの下方と浴槽５００に隣接する洗  い場床２００の一辺下方とに亘って延在させ、或いはローカウンター２００ｃの下方と浴槽５００から離隔した場床２００の一辺下方とに亘って延在させる。
【００１３】
【発明の効果】
本発明に係る排水トラップにおいては、溜水部上端と当該上端直上の封水筒外フランジ又は取付フランジとの間の環状隙間の一部が残余部に比べて拡大されているので、浴室ユニットの低床化に伴って排水トラップが偏平化しても、少なくとも前記一部には十分な幅の隙間が残される。従って、多量の排水が排水トラップへ流入し溜水部から多量の排水が上方へ溢れ出ても、前記環状隙間の十分な幅を有する一部を通って、支障なく排水口から排出される。従って、本発明に係る排水トラップは、浴室ユニットの低床化に伴って偏平化しても、排水不良を起こさない。前記環状隙間の拡大されていない残余部を、浴室ユニットの洗い場床の最下部に対峙させておけば、浴室ユニットの洗い場床上の排水は、封水筒外フランジの、前記環状隙間の拡大されていない残余部を形成する部位の上方を通って支障なく封水筒へ流入し、或いは取付フランジの、前記環状隙間の拡大されていない残余部を形成する部位の上方を通って支障なく封水筒へ流入する。
【図面の簡単な説明】
【図１】本発明の実施例に係る排水トラップを取り付けた浴室ユニットの部分構成図である。（ａ）は部分断面図であり、（ｂ）は封水筒の斜視図である。
【図２】本発明の他の実施例に係る排水トラップを取り付けた浴室ユニットの部分断面図である。
【図３】本発明の他の実施例に係る排水トラップが備える封水筒の斜視図である。
【図４】本発明の他の実施例に係る排水トラップが備える封水筒の斜視図である。
【図５】本発明の他の実施例に係る排水トラップを取り付けた浴室ユニットの部分断面図である。
【図６】本発明の他の実施例に係る排水トラップを取り付けた浴室ユニットの部分断面図である。
【図７】本発明の実施例に係る排水トラップを取り付けた浴室ユニットの洗い場床２００の斜視図である。
【図８】本発明の実施例に係る排水トラップを取り付けた浴室ユニットの洗い場床２００の斜視図である。
【図９】本発明の実施例に係る排水トラップを取り付けた浴室ユニットの洗い場床２００の斜視図である。
【符号の説明】
１  排水トラップ
２  溜水部
２ａ  浴槽排水流入口
３  排水外筒
３ａ  排水口
４  封水筒
４ａ  外フランジ
４ａ′  膨出部
４ａ″  非膨出部
５  取付フランジ
５ａ′  膨出部
５ａ″  非膨出部
６  トラップカバー
Ｓ  環状隙間
Ｓ′  拡大部
Ｓ″  残余部
２００  洗い場床
２００ａ、２００ｃ  ローカウンター
２００ｂ  ステップ
２０１  ピット
３００  排水管
α  封水面
【図１】
2004183412.tif 000003
【図２】
2004183412.tif 000004
【図３】
2004183412.tif 000005
【図４】
2004183412.tif 000006
【図５】
2004183412.tif 000007
【図６】
2004183412.tif 000008
【図７】
2004183412.tif 000009
【図８】
2004183412.tif 000010
【図９】
2004183412.tif 000011